(57)【要約】  本発明は、少なくとも５つの信号路（ＳＰ１〜ＳＰ５）とこれらの信号路のいずれかにアンテナ（ＡＮＴ）を交番的に接続するコンパクトモジュールとしての唯一のアンテナスイッチ（Ｓ）とを備えた、少なくとも３つの無線帯域用のフロントエンドモジュールに関する。本発明によれば、信号路（ＳＰ１〜ＳＰ５）のうち少なくとも１つは出力側で周波数切換部（ＦＷ１）を介して２つの分路（ＳＰ１１，ＳＰ１２）へ分岐されており、これらの分路で伝送すべき信号は周波数領域のオーバラップなしに２つの異なる無線帯域に割り当てられている。
2008516494.tif 000002
【特許請求の範囲】
【請求項１】
少なくとも５つの信号路（ＳＰ１〜ＳＰ５）と、該信号路のいずれかにアンテナ（ＡＮＴ）を交番的に接続するコンパクトモジュールとしての唯一のアンテナスイッチ（Ｓ）とを備えている、
少なくとも３つの無線帯域用のフロントエンドモジュールにおいて、
信号路（ＳＰ１〜ＳＰ５）のうち少なくとも１つは周波数切換部（ＦＷ１）により２つの分路（ＳＰ１１，ＳＰ１２）へ分岐されており、
該分路で伝送すべき信号は周波数領域のオーバラップなしに２つの異なる無線帯域に割り当てられている
ことを特徴とする少なくとも３つの無線帯域用のフロントエンドモジュール。
【請求項２】
第１の分路（ＳＰ１１）にはハイパスフィルタが配置されており、第２の分路（ＳＰ１２）にはローパスフィルタが配置されている、請求項１記載のモジュール。
【請求項３】
第１の分路（ＳＰ１１）にはローパスフィルタまたはハイパスフィルタが配置されており、第２の分路（ＳＰ１２）にはバンドパスフィルタが配置されている、請求項１記載のモジュール。
【請求項４】
分路（ＳＰ１１，ＳＰ１２）のうちの１つはＦＤＤモードで伝送を行う無線装置に割り当てられており、残りの分路はＴＤＤモードで伝送を行う無線装置に割り当てられている、請求項１記載のモジュール。
【請求項５】
少なくとも１つの分路（ＳＰ１１，ＳＰ１２）は受信路である、請求項１記載のモジュール。
【請求項６】
少なくとも１つの分路（ＳＰ１１，ＳＰ１２）は送信路である、請求項１記載のモジュール。
【請求項７】
第１の無線帯域の中心周波数は第２の無線帯域の中心周波数よりも１オクターブ以上低く、第１の分路（ＳＰ１１）は第２の無線帯域の送信路に対応しており、第２の分路（ＳＰ１２）は第１の無線帯域の送信路に対応している、請求項２または４記載のモジュール。
【請求項８】
第１の無線帯域の中心周波数は第２の無線帯域の中心周波数よりも１オクターブ以上低く、第１の分路（ＳＰ１１）は第１の無線帯域の送信路に対応しており、第２の分路（ＳＰ１２）は第２の無線帯域の送信路に対応している、請求項３または４記載のモジュール。
【請求項９】
信号は第１の分路（ＳＰ１１，ＳＰ１２）で両方向へ伝送される、請求項２から４までのいずれか１項記載のモジュール。
【請求項１０】
アンテナ（ＡＮＴ）およびアンテナスイッチ（Ｓ）を相互に接続する信号線路に横方向分岐が接続されており、該横方向分岐にアンテナスイッチ（Ｓ）を静電放電から保護する保護素子が配置されている、請求項１から９までのいずれか１項記載のモジュール。
【請求項１１】
５つの信号路（ＳＰ１〜ＳＰ５）を有しており、アンテナスイッチ（Ｓ）はＳＰ５Ｔスイッチである、請求項１から１０までのいずれか１項記載のモジュール。
【請求項１２】
６つの信号路（ＳＰ１〜ＳＰ６）を有しており、アンテナスイッチ（Ｓ）はＳＰ６Ｔスイッチである、請求項１から１０までのいずれか１項記載のモジュール。
【発明の詳細な説明】
【技術分野】
【０００１】
本発明は、アンテナスイッチを含むフロントエンド回路を備えたフロントエンドモジュールに関する。
【０００２】
ポータブルな移動無線機において実現されている、少なくとも２つの無線帯域に対するフロントエンド回路は、アンテナを交番的に２つの異なる信号路へ接続するアンテナスイッチを有している。こうしたフロントエンド回路は例えば欧州公開第０９５９５６７号明細書から公知である。ここでは、信号路に、２つのバンドパスフィルタから成るマルチプレクスフィルタが配置されており、これにより種々の周波数で伝送される信号が相互に分離され、種々の分路へ導通される。
【０００３】
１つの無線装置には中心周波数によって特徴づけられる１つの無線帯域が割り当てられている。当該の無線帯域は、周波数シフトされておりオーバラップしない送信帯域および受信帯域を有する。マルチバンド機器は種々の無線装置からのデータを処理するように構成されている。
【０００４】
移動無線帯域を分離するため、マルチバンド機器のフロントエンド回路において、第１のスイッチの後方の分岐信号路に、分岐信号路の分路とアンテナとを接続する第２のスイッチを配置することが知られている。
【０００５】
本発明の課題は、スペースを節約しつつ、少なくとも３つの異なる無線帯域に対して良好な電気的特性の得られるフロントエンドモジュールを提供することである。
【０００６】
この課題は請求項１の特徴部分に記載の構成を有するフロントエンドモジュールにより解決される。本発明の有利な実施形態および実施態様は従属請求項から得られる。
【０００７】
本発明は、少なくとも５つの信号路とコンパクトモジュールとしての唯一のアンテナスイッチとを備えた、少なくとも３つの無線帯域用のフロントエンドモジュールすなわちアンテナスイッチモジュールに関する。アンテナスイッチは少なくとも５つの信号路のいずれかとアンテナ端子とを交番的に接続する。本発明によれば、信号路のうち少なくとも１つは出力側で周波数切換部により２つの分路へ分岐されており、この分路で伝送すべき信号は周波数領域のオーバラップなしに２つの異なる無線帯域に割り当てられている。
【０００８】
各無線帯域の中心周波数は例えば約１オクターブ、すなわち係数約２だけ異なっている。各無線帯域の中心周波数は１オクターブ以上異なっていてもよい。第１の無線装置、例えばWＣＤＭＡ８００，ＧＳＭ８５０／９００は、第２の無線装置、例えばWＣＤＭＡ１９００／２１００，ＧＳＭ１８００／１９００よりも低い中心周波数を有する。WＣＤＭＡとはWideband Code Division Multiple Accessの略であり、ＧＳＭはGlobal System Mobileの略であり、これに続く数字は相応の無線装置の中心周波数［ＭＨｚ］を表している。
【０００９】
ＧＳＭなどの無線装置は、例えばＴＤＤモード（時間分割多重モード）すなわち送信信号と受信信号とをタイムスロットで交番的に伝送するモードで、データを伝送することができる。ＷＣＤＭＡなどの無線装置では、ＦＤＤモード（周波数分割多重モード）すなわち送信信号と受信信号とを同時に異なる周波数帯域で伝送するモードで、データを伝送することができる。後者の場合には同じ信号路または分路を介して上述した無線装置の送信信号および受信信号を伝送し、出力側で、アクセス形式に応じて例えば後置接続されたデュプレクサにより、または例えばＣＤＭＡのときにはデコーダにより、相互に分離することができる。
【００１０】
周波数切換部は相互に通過帯域のオーバラップしない２つの高周波数フィルタを有する。周波数切換部は例えば第１の分路にローパスフィルタを有し、第２の分路にハイパスフィルタを有するデュプレクサである。第１の分路では第１の無線装置の信号が伝送され、第２の分路では第２の無線装置の信号が伝送される。
【００１１】
これに代えて周波数切換部が第１のフィルタとしてローパスフィルタを、第２のフィルタとしてバンドパスフィルタを有するように構成してもよい。このとき第２のフィルタの通過帯域は第１のフィルタの阻止帯域となる。
【００１２】
さらに別の実施形態では、周波数切換部が第１のフィルタとしてハイパスフィルタを、第２のフィルタとしてバンドパスフィルタを有するように構成することもできる。このとき第２のフィルタの通過帯域は第１のフィルタの阻止帯域となる。
【００１３】
本発明の有利な実施形態では、フロントエンドモジュールは５個または６個（つまりｎ＝５または６）の信号路を有する。ここでアンテナスイッチはＳＰ５ＴスイッチまたはＳＰ６Ｔスイッチとなる。ＳＰｎＴとはSingle Pole n Throughの略である。
【００１４】
本発明の別の有利な実施形態では、フロントエンドモジュールはマルチバンドデュアルモードスイッチングモジュール、特に、５個以上の無線帯域用のマルチバンド圧縮デュアルモードスイッチングモジュールとして構成される。
【００１５】
表面実装に適したコンパクトなモジュールには、アンテナスイッチが実現されるほか、デコーダないしはスイッチの制御論理回路も組み込まれる。
【００１６】
フロントエンド回路の信号路には高周波数フィルタが配置される。"低周波数"の第１の無線装置（ＧＳＭ８５０／９００またはＷＣＤＭＡ８００）に割り当てられた送信路として機能する信号路または信号分路には、有利にはローパスフィルタが配置される。"高周波数"の第２の無線装置（ＧＳＭ１８００／１９００）に割り当てられた送信路として機能する信号路または信号分路には、有利にはバンドパスフィルタが配置される。これに代えて、"高周波数"の第２の無線装置（ＷＣＤＭＡ１９００／２１００）の無線帯域での伝送に適した信号路または信号分路にハイパスフィルタを配置してもよい。
【００１７】
周波数切換部は第１の無線装置の送信信号を他の無線装置の信号から分離する。また周波数切換部は第１の無線装置の受信信号を他の無線装置の信号から分離する。後者の場合、第２の帯域での送受信と第１の帯域で到来する信号のモニタリングとを同時に実行可能である。第１の低周波数の無線帯域と第２の高周波数の無線帯域とで伝送を行う装置、例えばＧＳＭ送信機の送信信号はアンテナスイッチの後方で共通の信号路へ導通され、別の周波数切換部を介して出力側で相互に分離される。
【００１８】
受信路として構成された信号路または信号分路にはバンドパスフィルタが配置される。特にバンドパスフィルタは音波で動作する構造体、例えば音響表面波トランスデューサおよび／または音響バルク波薄膜レゾネータを備えた構造体を有する。またフィルタはＭＷＫフィルタまたはＬＣフィルタとして構成されてもよい。
【００１９】
フロントエンド回路は有利には支持体基板およびその上に配置された前述のフロントエンド回路の部品を備えた唯一のモジュールとしてのフロントエンドモジュールとなるように実現される。
【００２０】
内部にアンテナスイッチを組み込んだモジュールは有利には支持体基板上に配置される。支持体基板は有利にはパターニングされた金属層とその間に配置された例えばセラミックから成る複数の誘電層とを有する。また、送信フィルタとしてのローパスフィルタまたは受信フィルタとしてのハイパスフィルタなどの受動部品やローパスフィルタ、ハイパスフィルタおよびバンドパスフィルタなどの周波数切換部の部品をパターニングされた導体路として実現し、これを基板内部に埋め込まれた金属層へ組み込むこともできる。前述したローパスフィルタ、ハイパスフィルタおよび／またはバンドパスフィルタはコンパクトな素子として支持体基板の表面に実装して利用可能である。
【００２１】
アンテナとアンテナスイッチとのあいだにはこれらを相互に接続する信号線路が配置されている。本発明の有利な実施形態によれば、この信号線路には、内部に保護素子の配置された横方向分岐が接続される。保護素子は静電放電または過電圧からアンテナスイッチを保護する。
【００２２】
以下に本発明を図示の実施例に則して詳細に説明する。図の要素は本発明の種々の実施例を示すための概略的なものであり、縮尺通りに描かれてはいないことに注意されたい。図中、同じ要素または同様の機能を有する要素には同じ参照番号を付してある。
【００２３】
図１には１つのアンテナスイッチおよび１つの周波数切換部を備えた第１のフロントエンド回路のブロック図が示されている。図２，図３には１つのアンテナスイッチおよび２つの周波数切換部を備えた第２，第３のフロントエンド回路のブロック図が示されている。図４にはアンテナスイッチおよびこれに組み込まれたデコーダを備えたフロントエンド回路のブロック図が示されている。
【００２４】
図１には５バンドデュアルモードフロントエンドモジュールが示されている。図２には５バンド圧縮デュアルモードフロントエンドモジュールが示されている。図３には６バンドデュアルモードフロントエンドモジュールが示されている。
【００２５】
図１にはアンテナスイッチＳを備えたフロントエンド回路が示されており、このフロントエンド回路はフロントエンドモジュールとして例えばセラミックから成る支持体基板ＴＳ上に実現されている。スイッチＳは入力側でアンテナ端子ＡＮＴに接続されており、出力側で６つの信号路ＳＰ１〜ＳＰ６に接続されている。スイッチはＳＰ６Ｔスイッチ（Single Pole 6 Through Switch）、つまり６段切り換えのスイッチとして構成されている。
【００２６】
第１の信号路ＳＰ１にはハイパスフィルタおよびローパスフィルタを有する周波数切換部ＦＷ１が配置されている。周波数切換部ＦＷ１は信号路ＳＰ１を第１の分路ＳＰ１１と第２の分路ＳＰ１２とへ分離している。ハイパスフィルタは第１の分路ＳＰ１１に、ローパスフィルタは第２の分路ＳＰ１２に配置されている。周波数切換部ＦＷ１のローパスフィルタは送信機ＧＳＭ８５０／９００の高調波が抑圧されるように構成されている。ハイパスフィルタを有する分路は有利にはＷＣＤＭＡモードで伝送を行う無線装置に対して用いられる。後者の装置の送信信号および受信信号は図１のハイパスフィルタの後方（図３の信号路ＳＰ４ではローパスフィルタの後方）に接続されたデュプレクサによって相互に分離される。この実施例ではデュプレクサはフロントエンドモジュールの構成要素ではない。ただし図示されていないデュプレクサをモジュール内に集積することもできる。
【００２７】
分路ＳＰ１１は無線帯域ＷＣＤＭＡ１９００／２１００に割り当てられており、分路ＳＰ１２は低周波数の集合送信路ＧＳＭ８５０／９００Ｔｘの送信帯域ＧＳＭ８５０およびＧＳＭ９００に割り当てられている。
【００２８】
第２の信号路ＳＰ２は受信路ＧＳＭ８５０Ｒｘの受信帯域ＧＳＭ８５０に割り当てられており、第３の信号路ＳＰ３は受信路ＧＳＭ９００Ｒｘの受信帯域ＧＳＭ９００に割り当てられている。第４の信号路ＳＰ４は高周波数の集合送信路ＧＳＭ１８００／１９００Ｔｘの送信帯域ＧＳＭ１８００およびＧＳＭ１９００に割り当てられている。第５の送信路ＳＰ５は受信路ＧＳＭ１８００Ｒｘの受信帯域ＧＳＭ１８００に割り当てられており、第６の信号路ＳＰ６は受信路ＧＳＭ１９００Ｒｘの受信帯域ＧＳＭ１９００に割り当てられている。
【００２９】
周波数切換部ＦＷ１のローパスフィルタ、ハイパスフィルタおよび第４の信号路ＳＰ４内に配置されたローパスフィルタＴＰは、有利には支持体基板ＴＳの内部に実現される。スイッチＳは有利にはＳＭＤ（Surface Mounted Device）コンタクトを備えたチップとして構成されている。当該のチップは支持体基板の表面に固定され、支持体基板に電気的に接続される。
【００３０】
図２には５個の信号路ＳＰ１〜ＳＰ５を有するフロントエンド回路の実施例が示されている。ここでは第３の信号路ＳＰ３に第２の周波数切換部ＦＷ２が配置されている。第３の信号路ＳＰ３は第２の周波数切換部ＦＷ２によって出力側で２つの分路ＳＰ３１，ＳＰ３２へ分割されている。
【００３１】
第２の周波数切換部ＦＷ２はここでは第１の分路ＳＰ３１に配置されたローパスフィルタと第２の分路ＳＰ３２に配置されたバンドパスフィルタとから成るコンビネーション部である。第３の信号路ＳＰ３の第１の分路ＳＰ３１は低周波数の送信路ＧＳＭ８５０／９００Ｔｘの送信帯域ＧＳＭ８５０およびＧＳＭ９００に割り当てられている。第３の信号路ＳＰ３の第２の分路ＳＰ３２は高周波数の集合送信路ＧＳＭ１８００／１９００Ｔｘの送信帯域ＧＳＭ１８００およびＧＳＭ１９００に割り当てられている。
【００３２】
図２では、第１の信号路ＳＰ１の第２の分路ＳＰ１２は受信路ＧＳＭ９００Ｒｘの受信帯域ＧＳＭ９００に割り当てられている。
【００３３】
第１の信号路ＳＰ１の２つの分路ＳＰ１１，ＳＰ１２をともに利用することにより、無線装置ＷＣＤＭＡ１９００またはＷＣＤＭＡ２１００の送信信号および受信信号を同時に伝送し、また別の無線装置ＧＳＭ８５０またはＧＳＭ９００の図１の送信信号または図２の受信信号を伝送することができる。
【００３４】
第２の無線帯域すなわちＷＣＤＭＡ１９００／２１００での伝送を第１の無線帯域で受信することにより、第２の無線帯域での伝送の際に第１の無線帯域で到来する呼をシグナリングできるという利点が得られる。
【００３５】
図３には、信号路ＳＰ１〜ＳＰ３，ＳＰ５，ＳＰ６が図１と同様に構成され、第４の信号路ＳＰ４で無線装置ＧＳＭ１８００／ＧＳＭ１９００の送信信号のほか、無線装置ＷＣＤＭＡ８００のデータも伝送される実施例が示されている。無線装置ＧＳＭ１８００／１９００の信号と無線装置ＷＣＤＭＡ８００の信号とは第２の周波数切換部ＦＷ２により相互に分離される。
【００３６】
周波数切換部ＦＷ２は、図３では、第４の信号路ＳＰ４の第１の分路ＳＰ４１に配置されたローパスフィルタと第２の分路ＳＰ４２に配置されたバンドパスフィルタとから成るコンビネーション部である。第４の信号路ＳＰ４の第１の分路ＳＰ４１は低周波数の無線帯域ＷＣＤＭＡ８００に割り当てられている。第４の信号路ＳＰ４の第２の分路ＳＰ４２は高周波数の集合送信路ＧＳＭ１８００／１９００Ｔｘの無線帯域ＧＳＭ１８００およびＧＳＭ１９００に割り当てられている。
【００３７】
第４の信号路ＳＰ４の第１の分路ＳＰ４１にローパスフィルタが配置され、第２の分路ＳＰ４２にバンドパスフィルタが配置されている。ただし基本的には、図２の第３の信号路ＳＰ３の第２の分路ＳＰ３２または図３の第４の信号路ＳＰ４の第２の分路ＳＰ４２に配置されるバンドパスフィルタはハイパスフィルタによって置換することができる。
【００３８】
図４にはマルチバンドマルチモードフロントエンドモジュールが示されている。この実施例では、各（ｍ＋ｎ）個の信号路ＳＰｊ［ｊ＝１．．．（ｍ＋ｎ）］に対する端子を備えたアンテナスイッチＳのほか、ディジタル信号の印加される制御端子Ｋ１〜Ｋ３を備えたデコーダＤＥもモジュールに組み込まれている。印加されるビットパターンに応じてスイッチＳが駆動され、これにより選択された信号路とアンテナ端子とが接続される。
【００３９】
モジュールは、送信路Ｔｘ１，Ｔｘ２，．．．Ｔｘｍとして構成されたｍ個の信号路ＳＰｊ［ｊ＝１．．．ｍ］と受信路Ｒｘ１，Ｒｘ２，．．．Ｒｘｎとして構成されたｎ個の信号路ＳＰｊ［ｊ＝（ｍ＋１）．．．（ｍ＋ｎ）］とを有する。
【００４０】
第１の送信路Ｔｘ１は出力側で分路Ｔｘ１１，Ｔｘ１２へ分割され、第２の送信路Ｔｘ２は出力側で分路Ｔｘ２１，Ｔｘ２２へ分割される。第１の送信路Ｔｘ１の第１の分路Ｔｘ１１にはハイパスフィルタが配置されている。この第１の分路Ｔｘ１１は有利にはＦＤＤモードで伝送を行う第２の高周波数の無線装置の送信帯域に割り当てられている。第１の送信路Ｔｘ１の第２の分路Ｔｘ１２にはローパスフィルタが配置されている。この第２の分路Ｔｘ１２は有利にはＦＤＤモードまたはＴＤＤモードで伝送を行う第１の低周波数の無線装置の送信帯域に割り当てられている。
【００４１】
第２の送信路Ｔｘ２の第１の分路Ｔｘ２１にはローパスフィルタが配置されている。この第１の分路Ｔｘ２１は有利にはＦＤＤモードで伝送を行う第４の低周波数の無線装置の送信帯域に割り当てられている。第２の送信路Ｔｘ２の第２の分路Ｔｘ２２にはバンドパスフィルタが配置されている。この第２の分路Ｔｘ２２は有利にはＦＤＤモードまたはＴＤＤモードで伝送を行う第３の高周波数の無線装置の送信帯域に割り当てられている。
【００４２】
受信路Ｒｘｎには非平衡入力側と平衡出力側とを有するバンドパスフィルタＢＰが配置される。このバンドパスフィルタはＢａｌｕｎ機能を満足する。バンドパスフィルタは例えば音響表面波によって動作する受信フィルタである。
【００４３】
図１〜図４に示されている受信路には、一般に、フロントエンドモジュールの構成要素であるフィルタ、有利にはバンドパスフィルタが配置される。
【００４４】
図２〜図４に示されているように複数の信号路ＳＰ１，ＳＰ２に周波数切換部を配置し、２つ以上の隣接する周波数領域に対して数個の信号路、特に送信路を共通に利用することにより、多数の無線帯域を１つのフロントエンドモジュールで処理することができるようになる。その際にもスイッチに接続される信号路の数やアンテナスイッチの切換レベルの数を増大する必要はない。
【００４５】
周波数切換部は、別の実施例では、ハイパスフィルタおよびバンドパスフィルタから成るコンビネーション部であってもよいし、または２つのバンドパスフィルタから成るコンビネーション部であってもよい。
【００４６】
アンテナスイッチＳのアンテナ側の入力側は、図４に示されているように、横方向分岐に配置された保護素子ＥＳ、例えばバリスタまたはスパーク区間により過電圧に対して保護される。
【００４７】
アンテナは、別の実施例では、フロントエンドモジュールの支持体基板内に組み込むこともできる。さらに別の実施例として、アンテナ端子を介してアンテナとフロントエンドモジュールとを接続してもよい。
【００４８】
支持体基板の誘電層は例えばＬＴＣＣセラミック、ＨＴＣＣセラミックまたは有機材料から形成される。アンテナスイッチ、有利には半導体スイッチは、ＧａＡｓスイッチ（ｐＨＥＭＴまたはＪ−ＦＥＴ）または例えばＰＩＮダイオードを備えたダイオードスイッチから選択することができる。高度に集積されたスイッチをＣＭＯＳ技術によりケイ素基板またはサファイア基板上に構成することもできる。モジュールは信号路またはその分路に配置されたＳＡＷデュプレクサまたはマイクロ波セラミックデュプレクサを含む。デュプレクサは有利にはＣＤＭＡモードで駆動される信号路に配置される。
【００４９】
デコーダ論理回路は有利には半導体スイッチ上に直接に集積される。別の実施例として、別個のデコーダチップを設け、支持体基板上に実装してもよい。
【００５０】
本発明は上述の実施例または選択材料に限定されない。図１〜図４に示された要素は本発明の他の実施例においても利用可能である。ＥＳＤ保護装置はスイッチモジュールの任意のゲートに配置することができる。半導体スイッチおよびフィルタはダイボンディング、ワイヤボンディングまたはフリップチップ実装により基板上に実装することができる。
【図面の簡単な説明】
【００５１】
【図１】１つのアンテナスイッチおよび１つの周波数切換部を備えた第１のフロントエンド回路のブロック図である。
【図２】１つのアンテナスイッチおよび２つの周波数切換部を備えた第２のフロントエンド回路のブロック図である。
【図３】１つのアンテナスイッチおよび２つの周波数切換部を備えた第３のフロントエンド回路のブロック図である。
【図４】アンテナスイッチおよびこれに組み込まれたデコーダを備えたフロントエンド回路のブロック図である。
【符号の説明】
【００５２】
ＡＮＴ  アンテナ端子、  ＢＰ  バンドパスフィルタ、  ＴＰ  ローパスフィルタ、  ＤＥ  デコーダ、  ＥＳ  保護素子、  ＦＷ１，ＦＷ２  周波数切換部、  Ｒｘ  受信路、  Ｔｘ  送信路、  Ｔｘ１１，Ｔｘ１２  第１の送信路の分路、  Ｔｘ２１，Ｔｘ２２  第２の送信路の分路、  Ｔｘｊ［ｊ＝１．．．ｍ］  送信路としての信号路、  Ｒｘｊ［ｊ＝１．．．ｎ］  受信路としての信号路、  Ｓ  アンテナスイッチ、  ＳＰｊ［ｊ＝１，２，．．．，（ｍ＋１），．．．（ｍ＋ｎ）］  信号路、  ＳＰｊ１  信号路の第１の分路、  ＳＰｊ２  信号路の第２の分路
【図１】
2008516494.tif 000003
【図２】
2008516494.tif 000004
【図３】
2008516494.tif 000005
【図４】
2008516494.tif 000006
【国際調査報告】
2008516494.tif 000007
2008516494.tif 000008
2008516494.tif 000009
2008516494.tif 000010
2008516494.tif 000011
2008516494.tif 000012